(57)【特許請求の範囲】
【請求項１】
４つの側方面（１０ａ），（１０ｂ），（１０ｃ），（１０ｅ）の内の相互に対向する２面（１０ａ），（１０ｂ）に空冷吸収器（１７ａ），（１７ｂ）を、同２面の残部からその他の１面（１０ｃ）に空冷凝縮器（１９ａ），（１９ｂ）を配置するとともに、これら空冷吸収器（１７ａ），（１７ｂ）および空冷凝縮器（１９ａ），（１９ｂ）を、底部（１０ｆ）側に設けられた高温再生器（２１）その他のメンテナンス部品に対して上方側に所定寸法オフセツトし、該オフセットスペースをメンテナンススペース（ＭＳ）としたことを特徴とする空冷吸収式冷凍装置。
【請求項２】
４つの側方面（１０ａ），（１０ｂ），（１０ｃ），（１０ｅ）の内の少くとも空冷吸収器（１７ａ），（１７ｂ）が配置されていない何れか１面（１０ｃ），（１０ｅ）側を相互に連結することにより、２台以上の空冷吸収式冷凍装置を複合一体化して冷凍能力を増大できるようにしたことを特徴とする請求項１記載の空冷吸収式冷凍装置。
【請求項３】
空冷吸収器（２７）を垂直方向に、および空冷凝縮器（２９）を水平方向に位置させて相互に直交するように配置するとともに、これら空冷吸収器（２７）および空冷凝縮器（２９）を、底部（３０ｆ）側に設けられた高温再生器（２１）その他のメンテナンス部品に対して上方側に所定寸法オフセットし、該オフセットスペースをメンテナンススペース（ＭＳ）とするとともに、上記直交状態に配置された空冷吸収器（２７）および空冷凝縮器（２９）に共通に対応するファン（２５ａ），（２５ｂ）をそれらの挟角範囲内に位置して斜め上方に向けて配置することによって少なくとも２組の空冷吸収式冷凍装置ユニット（Ａ），（Ａ）を構成し、該２組の空冷吸収式冷凍装置ユニット（Ａ），（Ａ）を、それぞれ上記ファン（２５ａ），（２５ｂ）を内側にして相互に対向一体化するとともに、その他の構成部品を当該一体化された装置本体内の送風路を避けた位置に集合させて配置したことを特徴とする空冷吸収式冷凍装置。
【請求項４】
空冷吸収器（２７）を垂直方向に、および空冷凝縮器（２９）を水平方向に位置させて相互に直交するように配置するとともに、これら空冷吸収器（２７）および空冷凝縮器（２９）を、底部（３０ｆ）側に設けられた高温再生器（２１）その他のメンテナンス部品に対して上方側に所定寸法オフセットし、該オフセットスペースをメンテナンススペース（ＭＳ）とするとともに、上記直交状態に配置された空冷吸収器（２７）および空冷凝縮器（２９）に共通に対応するファン（２５ａ），（２５ｂ）を上記空冷凝縮器（２９）の上方に配置することによって少なくとも２組の空冷吸収式冷凍装置ユニット（Ａ），（Ａ）を構成し、該２組の空冷吸収式冷凍装置ユニット（Ａ），（Ａ）を、それぞれ上記空冷凝縮器（２９）およびファン（２５ａ），（２５ｂ）を内側にして相互に対向一体化するとともに、その他の構成部品を当該一体化された装置本体内の送風路を避けた位置に集合させて配置したことを特徴とする空冷吸収式冷凍装置。
【請求項５】
送風路を避けた位置が、空冷吸収器（２７），（２７）および空冷凝縮器（２９），（２９）の側方側空間部（４０）であることを特徴とする請求項３又は４記載の空冷吸収式冷凍装置。
【請求項６】
その他の構成部品が集合配置された側方側空間部（４０）の側面（３０ｃ）又はその反対側の側面（３０ｅ）側を相互に連結することにより、２台以上の空冷吸収式冷凍装置を複合一体化して冷凍能力を増大できるようにしたことを特徴とする請求項５記載の空冷吸収式冷凍装置。
【請求項７】
４つの側方面（１０ａ），（１０ｂ），（１０ｃ），（１０ｅ）の内の相互に対向する２面（１０ａ），（１０ｂ）に空冷吸収器（１７ａ），（１７ｂ）を、該相互に対向する空冷吸収器（１７ａ），（１７ｂ）の底部間に水平に空冷凝縮器（２９）を配置し、上部側天板面（１０ｄ）にファン（１５ａ），（１５ｂ）を設けるとともに、上下空冷吸収器（１７ａ），（１７ｂ）および空冷凝縮器（２９）を、底部（１０ｆ）側に設けられた高温再生器（２１）その他のメンテナンス部品に対して上方側に所定寸法オフセツトし、該オフセットスペースを上記空冷凝縮器（２９）への送風通路と上記メンテナンス部品に対するメンテナンススペース（ＭＳ）とに兼用したことを特徴とする空冷吸収式冷凍装置。
【請求項８】
ファン（１５ａ），（１５ｂ）は、そのファン回転軸を空冷凝縮器（２９）に対して垂直にして設けられていることを特徴とする請求項７記載の空冷吸収式冷凍装置。
【発明の詳細な説明】
【０００１】
【発明の属する技術分野】
本願発明は、空冷吸収式冷凍装置の構造に関するものである。
【０００２】
【従来の技術】
一般に空冷式の吸収式冷凍装置は、水冷式のものに比べて熱伝達能力が低い問題がある。
【０００３】
そこで、従来の空冷吸収式冷凍装置では、例えば図２１〜図２４に示すように、略立方体形状の装置本体１の中央部上方に大径のファン２を設けるとともに、その３方側壁面に各々空気吸込口３ａ〜３ｃを形成し、それらの内側に空冷吸収器４ａ，４ｂ、空冷凝縮器５をそれぞれ配設する一方、空冷吸収器４ａ，４ｂの上部に蒸発器６，６を設置するようにして、可能な限り空冷吸収器４ａ，４ｂや空冷凝縮器５の伝熱面積を広く確保する構成が採用されている。
【０００４】
そして、上記ファン２により上記各空気吸込口３ａ〜３ｃから吸込んだ空気を上記空冷吸収器４ａ，４ｂ並びに空冷凝縮器５に通して吸収液並びに冷媒蒸気を効率良く冷却した後、装置本体１上方側の空気吹出口７から吹き出すようになっている（例えば、類似の公知例として特開平１−２２５８６８号公報のものを参照）。
【０００５】
【発明が解決しようとする課題】
ところが、このような従来の空冷吸収式冷凍装置の構成の場合、次のような問題がある。
【０００６】
（１）  装置本体の方向の異なる３面の上下左右全体に大きな空気吸込口を形成し、それに対応した大きな吸収器および凝縮器を配置するので、装置本体内に必要以上に大きな空間が形成され、装置本体が大型化する。
【０００７】
（２）  装置本体の３面方向が、それぞれ空気吸込専用スペースＳ1，Ｓ2，Ｓ3となり、サービス作業用のメンテナンススペースＳ4はそれらを避けた他の１面側に形成せざるを得ず、メンテナンススペースＳ4が取りにくい。また同メンテナンススペースＳ4を含めると、装置本体の占有面積に加え、上記空気吸込専用スペースＳ1〜Ｓ3とともに４面方向の相当に広い設置スペースＳが必要となる。
【０００８】
（３）  冷凍能力を大きくしようとすると、装置本体そのものを大型化せざるを得ず、ユーザー側のニーズに応じた自由度の高い冷凍能力量の提供が困難である。
【０００９】
（４）  必要スペース（本体スペース＋吸込スペースＳ1，Ｓ2，Ｓ3＋メンテナンススペースＳ4・・・図１６参照）が固定され、設置場所の形態に応じた自由なレイアウトが困難である。
【００１０】
【課題を解決するための手段】
本願各発明は、このような問題を解決することを目的としてなされたもので、例えば該目的を達成するために、それぞれ次のような課題解決手段を備えて構成されている。
【００１１】
（１）  請求項１の発明
この発明の空冷吸収式冷凍装置は、４つの側方面１０ａ，１０ｂ，１０ｃ，１０ｅの内の相互に対向する２面１０ａ，１０ｂに空冷吸収器１７ａ，１７ｂを、同２面の残部からその他の１面１０ｃに空冷凝縮器１９ａ，１９ｂを配置するとともに、これら空冷吸収器１７ａ，１７ｂおよび空冷凝縮器１９ａ，１９ｂを、底部１０ｆ側に設けられた高温再生器２１その他のメンテナンス部品に対して上方側に所定寸法オフセツトし、該オフセットスペースをメンテナンススペースＭＳとしたことを特徴としている。
【００１２】
すなわち、該構成では、空気吸込面である空冷吸収器１７ａ，１７ｂおよび空冷凝縮器１９ａ，１９ｂが配置された各面の下方側にメンテナンススペースが形成されるようになり、該メンテナンススペースを利用して底部１０ｆ側に設けられている例えば高温再生器２１の下部側バーナ部２１ａその他のメンテナンス必要部品に対するメンテナンスを容易に行うことができるようになる。したがって、空冷吸収器１７ａ，１７ｂ、空冷凝縮器１９ａ，１９ｂが設けられていない面はもちろん、それらが設けられている何れの面にもメンテナンススペースの設定が可能となり、メンテナンススペースの設定が自由になる。その結果、例えば同一構造の空冷吸収式冷凍装置を複数台連結一体化して冷凍能力の増大要求に対応しようとするような場合にも、場所を取ることなく、自由にメンテナンススペースを確保することができる。
【００１３】
そのため、装置のコンパクト化、設置面積の縮小化を図ることができる。
【００１４】
（２）  請求項２の発明
この発明の空冷吸収式冷凍装置は、上記請求項１の発明の構成において、上記４つの側方面１０ａ，１０ｂ，１０ｃ，１０ｅの内の少くとも空冷吸収器１７ａ，１７ｂが配置されていない何れか１面１０ｃ，１０ｅ側を相互に連結することにより、２台以上の空冷吸収式冷凍装置を複合一体化して冷凍能力を増大できるようにしたことを特徴としている。
【００１５】
したがって、該構成では、上述のような請求項１の発明の構成の空冷吸収式冷凍装置を２台以上採用し、それらを上述のように相互に連結一体化して冷凍能力を増大させるのに適したものとなり、ユーザ側の冷凍能力要求ニーズに応じた自由度の高い対応が可能となる。その結果、必要以上に大型の装置を設置する必要もなく、また逆に大冷凍能力が必要な時にも自由に応じることができる。そして、その時のメンテナンススペース位置の設定等設置のレイアウトにも自由度が生じる。
【００１６】
（３）  請求項３の発明
この発明の空冷吸収式冷凍装置は、空冷吸収器２７を垂直方向に、および空冷凝縮器２９を水平方向に位置させて相互に直交するように配置するとともに、これら空冷吸収器２７および空冷凝縮器２９を、底部３０ｆ側に設けられた高温再生器２１その他のメンテナンス部品に対して上方側に所定寸法オフセットし、該オフセットスペースをメンテナンススペースＭＳとするとともに、上記直交状態に配置された空冷吸収器２７および空冷凝縮器２９に共通に対応するファン２５ａ，２５ｂをそれらの挟角範囲内に位置して斜め上方に向けて配置することによって少なくとも２組の空冷吸収式冷凍装置ユニットＡ，Ａを構成し、該２組の空冷吸収式冷凍装置ユニットＡ，Ａを、それぞれ上記ファン２５ａ，２５ｂを内側にして相互に対向一体化するとともに、その他の構成部品を当該一体化された装置本体内の送風路を避けた位置に集合させて配置したことを特徴としている。
【００１７】
すなわち、該構成では、先ず冷凍装置ユニットＡそのものが、空冷吸収器２７と空冷凝縮器２９とを直交状態に配置することによって構成されているので、それらの空気吸込口を本体ハウジングの単一面に共通に形成することができ、空気吸込面の数を低減することができる。しかも該単一面の空気吸込口部分において所定寸法上方に空冷吸収器２７，２７および空冷凝縮器２９，２９がオフセットされることになるので、水平方向に位置する空冷凝縮器２９，２９の下方にも空気が供給されやすくなる一方、上記直交状態に配置されている空冷吸収器２７および空冷凝縮器２９に共通に対応するファン２５ａ，２５ｂをそれらの挟角範囲内に位置して斜め上方に向けて配置しているので、空冷吸収器２７と空冷凝縮器２９それぞれから該ファン２５ａ，２５ｂまでの送風通路の通路距離も略等しくなり、空冷吸収器２７および空冷凝縮器２９それぞれの熱交面部を可能な限り均一な流速分布で空気が流れるようになる。
【００１８】
そのため、前述の従来例のように装置本体の方向の異なる複数面（３面方向）にそれぞれ空気吸込口を設けなければならない構成に比べて、装置本体の前後方向の寸法が可及的に小さい薄型のコンパクトな形状に形成することができるようになり、それ自体の占有面積が小さくなるとともに、単一の空気吸込面に対応した空気吸込スペースとその対向面側斜め上方への空気吹出スペースとの比較的小さな設置スペースさえあれば設置できるようになる。
【００１９】
したがって、そのような特徴を有する２組の冷凍装置ユニットＡ，Ａを相互に対向一体化した空冷吸収式冷凍装置においても、同様の作用効果を活用することができ、冷凍能力に比較して、可及的に前後方向に薄く、コンパクトで、設置面積の小さなものに構成することができる。
【００２０】
そして、その場合においても、上記空冷吸収器２７および空冷凝縮器２９を、底部３０ｆ側に設けられた高温再生器２１その他のメンテナンス部品に対して上方側に所定寸法オフセットし、該オフセットスペースをメンテナンススペースＭＳとしているので、空気吸込面である空冷吸収器２７，２７および空冷凝縮器２９，２９が配置された各面の下方側にメンテナンススペースが形成されるようになり、該メンテナンススペースを利用して底部３０ｆ側に設けられている例えば高温再生器２１の下部側バーナ部２１ａその他のメンテナンス必要部品に対するメンテナンスを容易に行うことができるようになる。したがって、空冷吸収器２７，２７、空冷凝縮器２９，２９が設けられていない面はもちろん、それらが設けられている何れの面にもメンテナンススペースの設定が可能となり、メンテナンススペースの設定が自由になる。その結果、例えば該装置と同一構造の空冷吸収式冷凍装置を複数台連結一体化して冷凍能力の増大要求に対応しようとするような場合にも、場所を取ることなく、自由にメンテナンススペースを確保することができる。
【００２１】
そのため、さらに装置のコンパクト化、設置面積の縮小化を図ることができる。
【００２２】
（４）  請求項４の発明
この発明の空冷吸収式冷凍装置は、空冷吸収器２７を垂直方向に、および空冷凝縮器２９を水平方向に位置させて相互に直交するように配置するとともに、これら空冷吸収器２７および空冷凝縮器２９を、底部３０ｆ側に設けられた高温再生器２１その他のメンテナンス部品に対して上方側に所定寸法オフセットし、該オフセットスペースをメンテナンススペースＭＳとするとともに、上記直交状態に配置された空冷吸収器２７および空冷凝縮器２９に共通に対応するファン２４ａ，２４ｂを上記空冷凝縮器２９の上方に配置することによって少なくとも２組の空冷吸収式冷凍装置ユニットＡ，Ａを構成し、該２組の空冷吸収式冷凍装置ユニットＡ，Ａを、それぞれ上記空冷凝縮器２９およびファン２４ａ，２４ｂを内側にして相互に対向一体化するとともに、その他の構成部品を当該一体化された装置本体内の送風路を避けた位置に集合させて配置したことを特徴としている。
【００２３】
すなわち、該構成では、先ず冷凍装置ユニットＡそのものが、空冷吸収器２７と空冷凝縮器２９とを直交状態に配置することによって構成されているので、それらの空気吸込口を本体ハウジングの単一面に共通に形成することができ、空気吸込面の数を低減することができる。しかも該単一面の空気吸込口部分において所定寸法上方に空冷吸収器２７，２７および空冷凝縮器２９，２９がオフセットされることになるので、水平方向に位置する空冷凝縮器２９，２９の下方にも空気が供給されやすくなる一方、上記直交状態に配置されている空冷吸収器２７および空冷凝縮器２９に共通に対応するファン２５ａ，２５ｂを上記空冷凝縮器２９，２９の上方に配置しているので、上記空冷吸収器２７および空冷凝縮器２９それぞれの熱交面部を可能な限り均一な流速分布で空気が流れるようになる。
【００２４】
そのため、前述の従来例のように装置本体の方向の異なる複数面（３面方向）にそれぞれ空気吸込口を設けなければならない構成に比べて、装置本体の前後方向の寸法が可及的に小さい薄型のコンパクトな形状に形成することができるようになり、それ自体の占有面積が小さくなるとともに、単一の空気吸込面に対応した空気吸込スペースとその対向面側斜め上方への空気吹出スペースとの比較的小さな設置スペースさえあれば設置できるようになる。
【００２５】
したがって、そのような特徴を有する２組の冷凍装置ユニットＡ，Ａを相互に対向一体化した空冷吸収式冷凍装置においても、同様の作用効果を活用することができ、冷凍能力に比較して、可及的に前後方向に薄く、コンパクトで、設置面積の小さなものに構成することができる。
【００２６】
そして、その場合においても、上記空冷吸収器２７および空冷凝縮器２９を、底部３０ｆ側に設けられた高温再生器２１その他のメンテナンス部品に対して上方側に所定寸法オフセットし、該オフセットスペースをメンテナンススペースＭＳとしているので、空気吸込面である空冷吸収器２７，２７および空冷凝縮器２９，２９が配置された各面の下方側にメンテナンススペースが形成されるようになり、該メンテナンススペースを利用して底部３０ｆ側に設けられている例えば高温再生器２１の下部側バーナ部２１ａその他のメンテナンス必要部品に対するメンテナンスを容易に行うことができるようになる。したがって、空冷吸収器２７，２７、空冷凝縮器２９，２９が設けられていない面はもちろん、それらが設けられている何れの面にもメンテナンススペースの設定が可能となり、メンテナンススペースの設定が自由になる。その結果、例えば該装置と同一構造の空冷吸収式冷凍装置を複数台連結一体化して冷凍能力の増大要求に対応しようとするような場合にも、場所を取ることなく、自由にメンテナンススペースを確保することができる。
【００２７】
そのため、さらに装置のコンパクト化、設置面積の縮小化を図ることができる。
【００２８】
（５）  請求項５の発明
この発明の空冷吸収式冷凍装置は、上記請求項３又は４記載の発明の構成において、上記送風路を避けた位置が、空冷吸収器２７，２７および空冷凝縮器２９，２９の側方側空間部４０であることを特徴としている。
【００２９】
したがって、空冷吸収器２７，２７および空冷凝縮器２９，２９への送風通路の通風抵抗を高くすることなく、装置本体を可及的コンパクトに形成することができる。
【００３０】
（６）  請求項６の発明
この発明の空冷吸収式冷凍装置は、上記請求項５記載の発明の構成において、その他の構成部品が集合配置された側方側空間部４０の側面３０ｃ又はその反対側の側面３０ｅ側を相互に連結することにより、２台以上の空冷吸収式冷凍装置を複合一体化して冷凍能力を増大できるようにしたことを特徴としている。
【００３１】
したがって、該構成では、上述のような請求項５の発明の構成の空冷吸収式冷凍装置を２台以上採用し、それらを上述のように相互に連結一体化して冷凍能力を増大させるのに適したものとなり、ユーザ側の冷凍能力要求ニーズに応じた自由度の高い対応が可能となる。その結果、必要以上に大型の装置を設置する必要もなく、また逆に大冷凍能力が必要な時にも自由に応じることができる。そして、その時のメンテナンススペース位置等の設定設置のレイアウトにも自由度が生じる。
【００３２】
（７）  請求項７の発明
この発明の空冷吸収式冷凍装置は、４つの側方面１０ａ，１０ｂ，１０ｃ，１０ｅの内の相互に対向する２面１０ａ，１０ｂに空冷吸収器１７ａ，１７ｂを、該相互に対向する空冷吸収器１７ａ，１７ｂの底部間に水平に空冷凝縮器２９を配置し、上部側天板面１０ｄにファン１５ａ，１５ｂを設けるとともに、上下空冷吸収器１７ａ，１７ｂおよび空冷凝縮器２９を、底部１０ｆ側に設けられた高温再生器２１その他のメンテナンス部品に対して上方側に所定寸法オフセツトし、該オフセットスペースを上記空冷凝縮器２９への送風通路と上記メンテナンス部品に対するメンテナンススペースＭＳとに兼用したことを特徴としている。
【００３３】
すなわち、該構成では、先ず本体ハウジングの４つの側方面の内の相互に対向する２面に空冷吸収器１７ａ，１７ｂを配置するとともに、それら空冷吸収器１７ａ，１７ｂの底部間に空冷凝縮器２９を水平状態に配置しているので、それらの空気吸込口を本体ハウジングの相互に対向する面に共通に形成することができ、空気吸込面の数を低減することができる。そのため、前述の従来例のように装置本体の方向の異なる複数面（３面方向）にそれぞれ空気吸込口を設けなければならない構成に比べて、装置本体の前後方向の寸法が可及的に小さい薄型のコンパクトな形状に形成することができるようになり、それ自体の占有面積が小さくなるとともに、それらの空気吸込面に対応した空気吸込スペースと上方への空気吹出スペースとの比較的小さな設置スペースさえあれば設置できるようになる。しかも該相互に対向する２面の空気吸込口部分において所定寸法上方に空冷吸収器１７ａ，１７ｂおよび空冷凝縮器２９が上方側にオフセットされているので、水平方向に位置する空冷凝縮器２９の下方にも空気が供給されやすくなる一方、上記空冷吸収器１７ａ，１７ｂおよび空冷凝縮器２９に共通に対応するファン１５ａ，１５ｂを上記空冷凝縮器２９の上方の天板面１０ｄに配置しているので、よりコンパクト化が可能となる。
【００３４】
そして、その場合において、上記のように空冷吸収器１７ａ，１７ｂおよび空冷凝縮器２９を、底部１０ｆ側に設けられた高温再生器２１その他のメンテナンス部品に対して上方側に所定寸法オフセットし、該オフセットスペースを上記空冷吸収器２９への送風通路として兼用したメンテナンススペースＭＳとしているので、空気吸込面である空冷吸収器１７ａ，１７ｂおよび空冷凝縮器２９が配置された各面の下方側に空気吸込口とともにメンテナンススペースＭＳが形成されるようになり、該メンテナンススペースＭＳを利用して底部１０ｆ側に設けられている例えば高温再生器２１の下部側バーナ部２１ａその他のメンテナンス必要部品に対するメンテナンスを容易に行うことができるようになる。その結果、例えば該装置と同一構造の空冷吸収式冷凍装置を複数台連結一体化して冷凍能力の増大要求に対応しようとするような場合にも、場所を取ることなく、自由にメンテナンススペースを確保することができる。
【００３５】
（８）  請求項８の発明
この発明の空冷吸収式冷凍装置は、上記請求項７記載の発明の構成において、上記ファン１５ａ，１５ｂは、そのファン回転軸を空冷凝縮器２９に対して垂直にして設けられていることを特徴としている。
【００３６】
したがって、ファン回転軸を斜め方向に設ける場合に比べて、より本体ハウジング前後方向の幅をコンパクトにすることができる。
【００３７】
【発明の効果】
以上の結果、本願各発明によると、次のような有益な効果を得ることができる。
【００３８】
（１）  所望のメンテナンススペースを所望の面に形成することができる。したがって、メンテナンススペースの設定が容易になり、空気吸込スペースと共用化できるので、その分装置がコンパクトになるとともに占有面積を縮小できる。
【００３９】
（２）  一部大気圧を超えたサイクルでの運転が可能となり、冷凍効率が向上する。
【００４０】
その結果、さらに吸収器および凝縮器のコンパクト化が可能となり、その分コストも低減される。
【００４１】
（３）  任意のレイアウト状態で複合化することができるので、設置場所の自由度が向上するとともに、ユーザー側の要求冷凍能力に応じた最小スペースでの設置並びに冷凍能力のアップが可能となる。
【００４２】
【発明の実施の形態】
（実施の形態１）
図１〜図３は、本願発明の実施の形態１に係る空冷吸収式冷凍装置の構成を示している。
【００４３】
図中、先ず符号１０は、当該空冷吸収式冷凍装置の直方体形状の本体ハウジングである。該本体ハウジング１０は、例えば図１〜図３に示すように、全体として前後に薄く、横に長いコンパクトな形状のものとなっており、その相互に対向する前後両壁面１０ａ，１０ｂの右側略２／３幅部分には空冷吸収器用の空気吸込口１１ａ，１１ｂが、また同前後両壁面１０ａ，１０ｂの残された左側の壁面部分と左側壁面１０ｃ部分には空冷凝縮器用の空気吸込口１２ａ，１２ｂ、１２ｃがそれぞれ形成されている。そして、それら各空気吸込口１１ａ，１１ｂ、１２ａ，１２ａ，１２ｃの内側には、それぞれ空冷吸収器１７ａ，１７ｂ、空冷凝縮器１９ａ，１９ｂが図示のように設けられている。
【００４４】
また、上記空冷吸収器１７ａ，１７ｂ上方の天板面１０ｄ部分には第１，第２，第３の３組の円形の空気吹出口１４ａ，１４ｂ，１４ｃが左右両方向に所定の間隔を置いて形成され、それら各空気吹出口１４ａ，１４ｂ，１４ｃの内側（ファンガイド内）に位置して第１，第２，第３の左右３組のファン（プロペラファン）１５ａ，１５ｂ，１５ｃが、それぞれファン回転軸１６ａ，１６ｂ，１６ｃを上下垂直方向に向けた状態で下方から上方に吹出し回転可能に設置されている。
【００４５】
一方、上記本体ハウジング１０の右側壁面１０ｅは機器のない通常の側壁面となっており、該右側壁面１０ｅ部分は必要に応じて開口され得るようになっている。
【００４６】
ところで、上記空冷凝縮器１９ａ，１９ｂ内側の上下方向に延びる空間部には、例えば利用側熱交換器２２、気液分離器２３、高温再生器２１が設けられている。また上記空冷吸収器１７ａ，１７ｂおよび空冷凝縮器１９ａ，１９ｂは、所定寸法上方にオフセットした状態で配設されているとともに、さらに空冷吸収器１７ａ，１７ｂの上部には、上記天板面１０ｄとの間の内部空間を利用して蒸発器１８ａ，１８ｂが左右両方向に延びて設置されている。
【００４７】
そして、上記空冷吸収器１７ａ，１７ｂの下部空間位置には、上記上方へのオフセットにより、その内側底部１０ｆに設けられている上記高温再生器２１のバーナ部２１ａに対応して、所定高さ、所定幅のメンテナンススペースＭＳが設けられている。
【００４８】
また、上記装置本体１０内の上記のようにして送風通路を避けた下方側内部空間底部１０ｆ部分には、上記高温再生器２１、空冷凝縮器１９ａ，１９ｂからの凝縮水を蒸発器１８ａ，１８ｂへ供給するための冷媒ポンプ、溶液ポンプ、その他の各種必要機器（低温熱交、高温熱交）が、例えば集合一体化して設置されている（図示省略）。
【００４９】
したがって、以上のような構成では、上記第１，第２，第３のファン１５ａ，１５ｂ，１５ｃが、駆動されると、上記空気吸込口１１ａ，１１ｂ、１２ａ，１２ｂ，１２ｃから吸い込まれた空気が上記空冷吸収器１７ａ，１７ｂ、空冷凝縮器１９ａ，１９ｂを通って本体ハウジング１０内上部の３方向から上方に向けて延びる送風通路を通って、上記第１，第２，第３のファン１５ａ，１５ｂ，１５ｃ、上記第１，第２，第３の空気吹出口１４ａ，１４ｂ，１４ｃから外部上方に吹き出される。
【００５０】
つまり、以上の構成では、先ず空冷吸収器１７ａ，１７ｂ、空冷凝縮器１９ａ，１９ｂのそれぞれに対応した空気吸込口１１ａ，１１ｂ、１２ａ，１２ｂ，１２ｃを所定寸法上方にオフセットして３面に形成し、該上方側に所定寸法オフセットされた３面の空気吸込口１１ａ，１１ｂ、１２ａ，１２ｂ，１２ｃから上方側天面１０ｄに形成した第１，第２，第３の空気吹出口１４ａ，１４ｂ，１４ｃ方向に向かう、他の機器が無く通風抵抗の小さな送風通路を形成し、該送風通路を介して効率の良い送風機能を実現するようにしている。
【００５１】
一方、上記上方へのオフセットによって上記送風通路を避けた位置となる下部空間内底部１０ｆに他の必要機器を一体化して可及的コンパクトに設置して外周方向への省スペース化を図るとともに、それらおよび高温再生器２１のガスバーナ部２１ａ等のメンテナンス必要部品のためのメンテナンススペースＭＳを空気吸込面と同一の所望の面側に確保するようにして、装置本体のコンパクト化と設置面積の縮小化の両目的を達成するようにしている。
【００５２】
したがって、以上のような構成によると、次のような有益な効果を得ることができる。
【００５３】
（１）  所望のメンテナンススペースを所望の面に形成することができる。したがって、メンテナンススペースの設定が容易になり、空気吸込スペースと共用化できるので、その分装置がコンパクトになるとともに占有面積を縮小できる。
【００５４】
（２）  一部大気圧を超えたサイクルでの運転が可能となり、冷凍効率が向上する。
【００５５】
その結果、さらに吸収器および凝縮器のコンパクト化が可能となり、その分コストも低減される。
【００５６】
（３）  任意のレイアウト状態で複合化することができるので、設置場所の自由度が向上するとともに、ユーザー側の要求冷凍能力に応じた最小スペースでの設置並びに冷凍能力のアップが可能となる。
【００５７】
（変形例）
以上の実施の形態１の構成の空冷吸収式冷凍装置では、上述のように、本体ハウジング１０の空冷凝縮器１９ａ，１９ｂの設置面と反対側（図１における右側）の側壁面１０ｅには何も機器を設けることなく、必要に応じて開口部を形成することができるようになっている。
【００５８】
したがって、第１の変形例として、例えば上述のものと同一で左右対称の構造の空冷吸収式冷凍装置を例えば２台用いて図４に示すように、シリーズに連結することも可能となり、それにより冷凍能力の増大要求にも自由に対応することができるようになる。そして、そのようにした場合にも有効に吸込およびメンテナンススペースＳ1，Ｓ2，Ｓ1，Ｓ2を確保することができ、かつ相対的に設置面積を大きくしなくても済むようになる。
【００５９】
また、このように複数台の装置を連結して冷凍能力を増大させる方法として、上述のような左右方向にシリーズに連結する方法以外に、第２の変形例として例えば図５のように前後方向にパラレルに連結することも可能である。この方法の場合には、必要に応じて３台以上の連結も可能となる。
【００６０】
さらに、もちろん例えば図４のようにしたものを、必要に応じて２組コンビネーションすることも可能である。
【００６１】
また、特に必要がある場合には、上記空冷凝縮器１９ａ，１９ｂを設置した側壁面１０ｃ側を連結面として複数台（２台以上）シリーズに連結して冷凍能力をアップさせることも可能である。
【００６２】
（実施の形態２）
図６〜図９は、本願発明の実施の形態２に係る空冷吸収式冷凍装置の構成を示している。
【００６３】
この実施の形態のものは、例えば図６に示すように単体でも使用可能に構成された冷凍装置ユニットＡを２組採用し、それらを例えば図７〜図９に示すように単一のハウジング中に相互に対向一体化させたコンビネーション構造とすることによって、上記実施の形態１のものと同様の単一の空冷吸収式冷凍装置に構成されている。
【００６４】
先ず上記冷凍装置ユニットＡの構成を示す図６中において、符号２０は当該空冷吸収式冷凍装置の冷凍装置ユニットＡ単体状態での本体ハウジングである。該本体ハウジング２０は、例えば全体として前後に薄く、かつ横に長いコンパクトな形状のものとなっており、その前面側縦壁部２０ａの中間部を上方から下方に台形面状に傾斜させることによって、上方側内部空間２２ａよりも下方側内部空間２２ｂの方が前後方向に所定幅広くなるような異形構造に形成されている。
【００６５】
そして、該傾斜部によって形成された上下方向中央の傾斜壁面部２３部分に位置して第１，第２の左右２組の円形の空気吹出口２４ａ，２４ｂが左右両方向に所定の間隔をおいて形成され、それらの内側（ファンガイド内）に位置して各々ファン軸を斜め上方に向けた第１，第２の左右２組のファン（プロペラファン）２５ａ，２５ｂが、それぞれ斜め上方側に吹出し回転可能に設置されている。
【００６６】
一方、上記本体ハウジング２０の背面側縦壁部２０ｂには、一方側方にのみ所定幅の非開口面２８を残して上下左右方向の略全体に亘って長方形状の空気吸込口２６が形成されており、それによって該空気吸込口２６から上記第１，第２の空気吹出口２４ａ，２４ｂ方向に向かう斜め方向の送風通路が形成されている。そして、上記空気吸込口２６の所定寸法上方側にオフセットされた部分には、その開口面に対応した大きさで扁平な構造の空冷吸収器２７が上下方向に垂直に設けられている。
【００６７】
また、上記のようにして本体ハウジング２０の背面側空気吸込口２６から前面側傾斜壁面部２３の第１，第２の空気吹出口２４ａ，２４ｂ方向に形成された上記送風通路内において、上記空冷吸収器２７および第１，第２のファン２５ａ，２５ｂの下部には、上記一側方非開口面２８側に所定の他部品設置空間４０を残した状態で上記空冷吸収器２７の下端から前面側縦壁部２０ａ方向に水平に延びる若干幅の狭い空冷凝縮器２９が直交して設けられている。
【００６８】
そして、上記のようにして非開口面２８の内側に形成され、上記送風通路を避けた側方側空間である他部品設置空間４０の底部には例えば溶液ポンプ、冷媒ポンプ等が配設されている一方、上記同空冷吸収器２７の上方部には、上記本体ハウジング２０の前後幅の狭い上方側天板面２０ｄとの間の内部空間２２ａを利用して蒸発器１８が当該本体ハウジング２０の左右幅方向の略全体に延びて設置されている。
【００６９】
したがって、以上の構成では、上記第１，第２のファン２５ａ，２５ｂが、駆動されると、先ず上記空気吸込口２６のオフセットスペースを除く上方部側から吸い込まれた空気が空冷吸収器２７を通って均一に流れる一方、さらに同空気吸込口２６のオフセットスペースを含む下方部側から吸込まれた空気が空冷凝縮器２９を通って均一に流れ、それぞれ本体ハウジング２０内の上記送風通路を共に均一に流れ、その後、上記第１，第２のファン２５ａ，２５ｂを介して上記第１，第２の空気吹出口２４ａ，２４ｂから斜め上方に向けてスムーズに外部に吹き出されるようになる。
【００７０】
つまり、以上の構成では、空冷吸収器２７用と空冷凝縮器２９用の各空気吸込口を空気吸込口２６として本体ハウジング２０の単一面である背面側縦壁部２０ｂに集約させて共通に形成し、かつ該単一面の空気吸込口２６から略対向方向の同じく単一面である本体ハウジング２０の前面側縦壁部２０ａの中央を特に傾斜壁面部２３に形成するとともに該傾斜壁面部に第１，第２の空気吹出口２４ａ，２４ｂを設けることによって、上記アングル構造の空冷吸収器２７と空冷凝縮器２９それぞれから上記第１，第２のファン２５ａ，２５ｂまでの通路距離を可及的に等しくした送風通路を形成し、かつ該送風通路の空気流上流側に空冷吸収器２７と空冷凝縮器２９を相互に直交させたアングル状態で配設することによって、上記空冷吸収器２７の熱交面と空冷凝縮器２９の熱交面各々のファン軸とのなす角が略等しくなるようにしている。そして、それによって空冷吸収器２７および空冷凝縮器２９何れの熱交面部をも可能な限り均一な流速分布で空気が流れるようにしている。
【００７１】
そのため、前述の従来例のように装置本体の方向の異なる複数面（３面方向）にそれぞれ空気吸込口を設けなければならない構成に比べて、装置本体の前後方向の寸法が可及的に小さい薄型のコンパクトな形状に形成することができるようになり、それ自体の占有面積が小さくなるとともに、単一の空気吸込面に対応した空気吸込スペースとその対向面側斜め上方への空気吹出スペースとの比較的小さな設置スペースさえあれば設置できるようになる。
【００７２】
しかも、メンテナンス作業に必要なメンテナンススペースは、上述のように空冷吸収器２７および空冷凝縮器２９を上方側に所定寸法オフセットしたことにより、それらの下方側空気吸込スペースと共用化できるから、実質的には空気吸込スペースのみで足りることになる。
【００７３】
また、以上の構成では、上記のように第１，第２の空気吹出口２４ａ，２４ｂが斜め上方に向けて配置され、該空気吹出口２４ａ，２４ｂに対応して各々ファン軸が斜め上方に向けて配置された第１，第２のファン２５ａ，２５ｂが設けられている。したがって、該構成では、外部に吹出される空気の流れが上方に向かうようになり、その前方側の設置面積を、さらに縮小することができる。
【００７４】
それらの結果、装置本体がコンパクトであり、メンテナンススペースの設定が容易で、その設置面積が小さく、しかも低コストな空冷吸収式冷凍装置ユニットを提供することが可能となる。
【００７５】
そして、その結果、上記のように構成された冷凍装置ユニットＡを、次に述べるように２組連結して一体化すれば、さらに冷凍能力の大きい空冷吸収式冷凍装置を提供することができることになる。
【００７６】
次に、上記のような構造の冷凍装置ユニットＡを２組採用し、それらを組合せて単一構造体に構成された本願発明の実施の形態２に係る空冷吸収式冷凍装置の構造を図７〜図９に示す。
【００７７】
すなわち、該図７〜図９の空冷吸収式冷凍装置の構成では、上述した冷凍装置ユニットＡ２組が、それぞれその第１，第２の空気吹出口２４ａ，２４ｂ側を相互に対向させる形で単一の略立方体形状の本体ハウジング３０により一体化され、その天板面中央部は上記前面側縦壁部（２０ａ，２０ａ）の傾斜壁面部２３，２３によりＶ型のバンク構造となっていて、上方への送風口５０を形成している。そして、その相互に対向する前後両面側縦壁部３０ａ（２０ｂ），３０ｂ（２０ｂ）の部分には、それぞれ一側方側にのみ所定幅の非開口面２８，２８を残して空気吸込口２６，２６が形成されている。そして、それら各空気吸込口２６，２６の内側には、それぞれ上下方向に垂直に空冷吸収器２７，２７が、また水平方向に空冷凝縮器２９，２９が相互に直交する形で設けられている。
【００７８】
また、上記バンク構造の天板面中央部分には、対向する傾斜壁面部２３，２３それぞれに第１，第２の空気吹出口２４ａ，２４ｂが設けられて合計４組の円形の空気吹出口２４ａ，２４ｂ、２４ａ，２４ｂが相互に斜め上方向に対応し、かつ左右両方向に所定の間隔を置いて対向する形に設けられ、それら各空気吹出口２４ａ，２４ｂ、２４ａ，２４ｂの内側（ファンガイド内）に位置してそれぞれ前側第１，第２、後側第１，第２の左前後右に合計４組のファン（プロペラファン）２５ａ，２５ｂ、２５ａ，２５ｂが、それぞれファン回転軸を斜め上方に向けた状態で下方から上方に吹出し回転可能に設置されている。
【００７９】
ところで、前述のように上記空冷吸収器２７，２７および空冷凝縮器２９，２９は、それぞれその下方側に高温再生器２１等メンテナンス必要部品に対するメンテナンススペースＭＳを形成するとともに、凝縮水供給用の冷媒ポンプ、溶液ポンプ等の設置スペースを残すように、所定寸法上方にオフセットした状態で配設され、さらに、その内の空冷吸収器２７，２７の上部には、上記バンク構造の天板面前後両端面３０ｄ，３０ｄとの間の内部空間を利用して蒸発器１８，１８が左右両方向に延びて設置されている。
【００８０】
上記空冷吸収器２７，２７および空冷凝縮器２９，２９の下方側メンテナンススペースＭＳは、例えば上記本体ハウジング３０の底部３０ｆ上に設けられている高温再生器２１のガスバーナ部２１ａに対応して設けられている。
【００８１】
そして、上記本体ハウジング３０内の上記空冷吸収器２７，２７および空冷凝縮器２９，２９への送風通路を避けた上記非開口面２８，２８間の一側方側内部空間部分には、上下方向に延びた所定大の他部品設置空間４０が設けられており、該他部品設置空間４０に上記高温再生器２１、利用側熱交換器２２、気液分離器２３、低温再生器２４、その他の各種必要機器が、例えば上下方向に集合一体化して設置されている。
【００８２】
したがって、以上のような構成では、上記相互に対向する前後両面側の第１，第２のファン２５ａ，２５ｂ、２５ａ，２５ｂが駆動されると、上記第１，第２の空気吸込口２６，２６から吸い込まれた空気が上記空冷吸収器２７，２７および空冷凝縮器２９，２９を通って本体ハウジング３０内を前後両側から中央に向けて斜め上方に延びる前述の送風効率の高い送風通路を通って、上記第１，第２のファン２５ａ，２５ｂ、２５ａ，２５ｂ、上記第１，第２の空気吹出口２４ａ，２４ｂ、２４ａ，２４ｂから送風口５０を介して外部上方に吹き出される。
【００８３】
つまり、この構成では、先ず空冷吸収器２７，２７、空冷凝縮器２９，２９のそれぞれに対応した空気吸込口２６，２６を相互に対向する前後２面に形成する一方、それらから上方側バンク構造の天板面に各々斜めに形成した第１，第２の空気吹出口２４ａ，２４ｂ、２４ａ，２４ｂに向かう、通路距離が短かく、しかも他の機器が無くて通風抵抗の小さな送風通路を形成し、該送風通路を介して効率の良い送風機能を実現するようにしている。
【００８４】
そして、さらに上記本体ハウジング３０の前後左右４つの側壁面３０ａ，３０ｂ，３０ｃ，３０ｅの内の相互に対向する前後２つの壁面３０ａ，３０ｂに空気吸込口２６，２６を形成し、それらの内側に空冷吸収器２７，２７および空冷凝縮器２９，２９を直交状態に対応させて配置するとともに、これら空冷吸収器２７，２７および空冷凝縮器２９，２９を、本体ハウジング３０の底部３０ｆ側に設けられた高温再生器２１のバーナ部２１ａその他のメンテナンス必要部品に対して上方側に所定寸法オフセツトし、該オフセットスペースをメンテナンススペースＭＳとしている。
【００８５】
すなわち、該構成では、空気吸込面である空冷吸収器２７，２７および空冷凝縮器２９，２９が配置された前後両壁面３０ａ，３０ｂの下方側にメンテナンススペースＭＳが形成されるようになり、該メンテナンススペースＭＳを利用して底部３０ｆ側に設けられている例えば高温再生器２１のガスバーナ部２１ａその他のメンテナンス必要部品に対するメンテナンスを容易に行うことができるようになる。したがって、空冷吸収器２７，２７、空冷凝縮器２９，２９が設けられていない面はもちろん、それらが設けられている何れの面にもメンテナンススペースの設定が可能となり、メンテナンススペースの設定が自由になる。その結果、例えば後述するように上記のものと同一で左右対称構造の空冷吸収式冷凍装置を複数台連結一体化して冷凍能力の増大要求に対応しようとするような場合にも、場所を取ることなく、自由にメンテナンススペースを確保することができる。
【００８６】
そのため、装置のコンパクト化、設置面積の縮小化を図ることができる。
【００８７】
また、以上の構成では、上記送風通路を避けた側方側内部空間内に他部品設置空間４０を設けて高温再生器２１その他の必要機器を上下方向に集合一体化してコンパクトに設置するようにしている。したがって、上記のような送風通路の送風効率を低下させることなく装置本体のコンパクト化と設置面積の縮小化の両目的を達成することができる。
【００８８】
したがって、以上の構成によると、次のような有益な効果を得ることができる。
【００８９】
（１）  所望のメンテナンススペースを所望の面に形成することができる。したがって、メンテナンススペースの設定が容易になり、空気吸込スペースと共用化できるので、その分装置がコンパクトになるとともに占有面積を縮小できる。
【００９０】
（２）  一部大気圧を超えたサイクルでの運転が可能となり、冷凍効率が向上する。
【００９１】
その結果、さらに吸収器および凝縮器のコンパクト化が可能となり、その分コストも低減される。
【００９２】
（３）  任意のレイアウト状態で複合化することができるので、設置場所の自由度が向上するとともに、ユーザー側の要求冷凍能力に応じた最小スペースでの設置並びに冷凍能力のアップが可能となる。
【００９３】
（変形例）
以上の実施の形態２の構成の空冷吸収式冷凍装置では、上述のように、本体ハウジング３０内の空冷吸収器２７，２７および空冷凝縮器２９，２９への送風通路を避けた一側方側他部品設置空間４０と反対側（図７における左側）の側壁部面３０ｅには何も機器を設けることなく、必要に応じて開口部を形成することができるようになっている。
【００９４】
したがって、上述のものと同一で左右対称の構造の空冷吸収式冷凍装置を例えば２台用いて、図１０に示すように、シリーズに連結複合化することも可能となり、それによりユーザー側の冷凍能力の増大要求にも自由に対応することができるようになる。そして、そのようにした場合にも空気吸込面と同一面側に有効に吸込およびメンテナンススペースＳ1，Ｓ2，Ｓ1，Ｓ2を確保することができ、かつ相対的に設置面積を大きくしなくても済むようになる。
【００９５】
また、このように複数台の装置を連結して冷凍能力を増大させる方法として、上述のような左右方向にシリーズに連結する方法以外に、例えば単に前後方向にパラレルに並設することも可能である。この方法の場合には、必要に応じて３台以上の連結も可能となる。その場合にも、非対向面側の空気吸込面に自由にメンテナンススペースを設定することができる。
【００９６】
さらに、特に必要がある場合には、上記他部品設置空間４０側の側壁面３０ｃ側を連結面として複数台（２台以上）シリーズに連結して冷凍能力をアップさせることも可能である。
【００９７】
（実施の形態３）
図１１〜図１３は、本願発明の実施の形態３に係る空冷吸収式冷凍装置の構成を示している。
【００９８】
該実施の形態の空冷吸収式冷凍装置の構成は、上記実施の形態２の空冷吸収式冷凍装置の構成における天板面の構成を水平面構造とし、該部分にファン回転軸を垂直方向に向けた状態で前側第１，第２のファン２４ａ，２４ｂ、後側第１，第２のファン２４ａ，２４ｂと、これらの各々に対応する前側第１，第２の空気吹出口２５ａ，２５ｂ、後側第１，第２の空気吹出口２５ａ，２５ｂとをそれぞれ設ける一方、低温再生器２４を上記前側と後側の空気吹出口２４ａ，２４ｂ、２４ａ，２４ｂとの間の送風通路を避けた設置に設けたことを特徴としており、その他の構成は基本的に上記実施の形態２のものと同様である。
【００９９】
図中、先ず符号３０は、当該空冷吸収式冷凍装置の略立方体形状の本体ハウジングである。該本体ハウジング３０は、例えば図１１〜図１３に示すように、内側に無駄な空間をなくした全体としてコンパクトな形状のものとなっており、その相互に対向する前後両縦壁面３０ａ，３０ｂには空冷吸収器および空冷凝縮器用の共通する空気吸込口２６，２６が一側方側（図１１の右側壁面３０ｃ側）に所定幅の非開口面２８，２８を残して形成されている。そして、それら各空気吸込口２６，２６の内側には、それぞれ空冷吸収器２７，２７が所定寸法上方側にオフセットされた状態で上下方向に延びて設けられ、さらに該空冷吸収器２７，２７の下端から内側水平方向に空冷凝縮器２９，２９が図示のように相互に直交する状態で設けられている。
【０１００】
また、水平面の上記天板面３０ｄ部分には前後両側第１，第２の合計４組の円形の空気吹出口２４ａ，２４ｂ、２４ａ，２４ｂがそれぞれ左右両方向に所定の間隔を置いて形成され、それら各空気吹出口２４ａ，２４ｂ、２４ａ，２４ｂの内側（ファンガイド内）に位置して前後両側第１，第２の左右４組のファン（プロペラファン）２５ａ，２５ｂ、２５ａ，２５ｂが、それぞれそのファン回転軸を上下垂直方向に向けた状態で下方から上方に吹出し回転可能に設置されている。そして、それら前後両側空気吹出口２４ａ，２４ｂ、２４ａ，２４ｂ間の送風通路を避けた左右方向に延びる空間内に、低温再生器２４が設けられている。
【０１０１】
ところで、前述のように上記空冷吸収器２７，２７およびそれと直交する空冷凝縮器２９，２９は、上述のように所定寸法上方側にオフセットされて、それぞれその下方側に高温再生器２１のガスバーナ２１ａ等メンテナンス必要部品に対するメンテナンススペースＭＳを形成するとともに、上記前後両縦壁面３０ａ，３０ｂの非開口面２８，２８間に位置して形成される空気の流れない他部品設置空間４０の底部に凝縮水供給用の冷媒ポンプ、溶液ポンプ等の設置スペースを残すようになっている。また該所定寸法上方にオフセットされた状態で上記空冷吸収器２７，２７の上部には、さらに上記水平面構造の天板面３０ｄとの間の内部空間を利用して蒸発器１８，１８が左右両方向に延びて設置されている。
【０１０２】
そして、上記本体ハウジング３０内の上記空冷吸収器２７，２７および空冷凝縮器２９，２９への送風通路を避けた上記他部品設置空間４０には、下から上に上記高温再生器２１、利用側熱交換器２２、気液分離器２３、その他の各種必要機器が、例えば上下方向に集合一体化して設置されている。
【０１０３】
したがって、以上のような構成では、上記水平方向に相互に対向する前後両側の第１，第２のファン２５ａ，２５ｂ、２５ａ，２５ｂが駆動されると、上記第１，第２の空気吸込口２６，２６から吸い込まれた空気が上記空冷吸収器２７，２７および空冷凝縮器２９，２９を均一に通って本体ハウジング３０内を前後両側から中央に向けて斜め上方に延びる前述の送風効率の高い送風通路を介して、上記第１，第２のファン２５ａ，２５ｂ、２５ａ，２５ｂ、上記第１，第２の空気吹出口２４ａ，２４ｂ、２４ａ，２４ｂから外部上方に吹き出される。
【０１０４】
つまり、以上の構成では、先ず空冷吸収器２７，２７、空冷凝縮器２９，２９のそれぞれに対応した空気吸込口２６，２６を相互に対向する扁平な本体ハウジング３０の前後２面に形成する一方、それらから上方側水平面構造の天板面３０ｄに各々上下方向に形成した第１，第２の空気吹出口２４ａ，２４ｂ、２４ａ，２４ｂ方向に向かう、他の機器が無く、距離も短かくて通風抵抗の小さな送風通路を形成し、該送風通路を介して効率の良い送風機能を実現する。
【０１０５】
そして、さらに上記本体ハウジング３０の前後左右４つの壁面３０ａ，３０ｂ，３０ｃ，３０ｅの内の相互に対向する前後２つの縦壁面３０ａ，３０ｂに空気吸込口２６，２６を形成し、それらの内側に空冷吸収器２７，２７および空冷凝縮器２９，２９を直交状態に配置するとともに、これら空冷吸収器２７，２７および空冷凝縮器２９，２９を、底部３０ｆ側に設けられた高温再生器２１のバーナ部２１ａその他のメンテナンス必要部品に対して上方側に所定寸法オフセツトし、該オフセットによって形成された下方側スペースをメンテナンススペースＭＳとしている。
【０１０６】
すなわち、該構成では、空気吸込面である空冷吸収器２７，２７および空冷凝縮器２９，２９が配置された本体ハウジング前後両面の空気吸込口２６，２６下方側にメンテナンススペースＭＳが形成されるようになり、該メンテナンススペースＭＳを利用して底部３０ｆ側に設けられている高温再生器２１のガスバーナ部２１ａその他のメンテナンス必要部品に対するメンテナンスを容易に行うことができるようになる。したがって、空冷吸収器２７，２７、空冷凝縮器２９，２９が設けられていない面はもちろん、それらが設けられている何れの面にもメンテナンススペースの設定が可能となり、メンテナンススペースの設定が自由になる。その結果、例えば後述するように上記のものと同一構造の空冷吸収式冷凍装置を複数台連結一体化して冷凍能力の増大要求に対応しようとするような場合にも、場所を取ることなく、自由にメンテナンススペースを確保することができる。
【０１０７】
そのため、装置のコンパクト化、設置面積の縮小化を図ることができる。
【０１０８】
また、以上の構成では、上記空気吸込口２６，２６から空気吹出口２４ａ，２４ｂ、２４ａ，２４ｂに至る送風通路を避けた前後２組の空気吹出口２４ａ，２４ｂ、２４ａ，２４ｂ間に低温再生器２４を設ける一方、また同じく同送風通路を避けた本体ハウジング３０の側方側内部空間である他部品設置空間４０内に高温再生器２１その他の必要機器を上下方向に集合一体化してコンパクトに設置するようにしている。したがって、上記のような送風通路の送風効率を低下させることなく装置本体のコンパクト化と設置面積の縮小化の両目的を達成するようにしている。
【０１０９】
したがって、以上の構成によると、次のような有益な効果を得ることができる。
【０１１０】
（１）  所望のメンテナンススペースを所望の面に形成することができる。したがって、メンテナンススペースの設定が容易になり、空気吸込スペースと共用化できるので、その分装置がコンパクトになるとともに占有面積を縮小できる。
【０１１１】
（２）  一部大気圧を超えたサイクルでの運転が可能となり、冷凍効率が向上する。
【０１１２】
その結果、さらに吸収器および凝縮器のコンパクト化が可能となり、その分コストも低減される。
【０１１３】
（３）  任意のレイアウト状態で複合化することができるので、設置場所の自由度が向上するとともに、ユーザー側の要求冷凍能力に応じた最小スペースでの設置並びに冷凍能力のアップが可能となる。
【０１１４】
（変形例）
以上の実施の形態３の構成の空冷吸収式冷凍装置では、上述のように、本体ハウジング３０の他部品設置空間４０と反対側の側壁面部３０ｅには何も設けることなく、必要に応じて開口部を形成することができるようになっている。
【０１１５】
したがって、同一で左右対称構造の空冷吸収式冷凍装置を、例えば２台用いて図１４に示すように、自由なレイアウトでシリーズに連結することも可能となり、冷凍能力の増大要求にも自由に対応することができるようになる。そして、そのようにした場合にも空気吸込面と同一面側に有効に吸込およびメンテナンススペースＳ1，Ｓ2，Ｓ1，Ｓ2を確保することができ、かつ相対的に設置面積を大きくしなくても済むようになる。
【０１１６】
また、このように複数台の装置を連結して冷凍能力を増大させる方法として、上述のような左右方向にシリーズに連結する方法以外に、例えば単に前後方向にパラレルに並設することも可能である。この方法の場合には、必要に応じて３台以上の連結も可能となる。その場合にも、非対向面側の空気吸込面に自由にメンテナンススペースを設定することができる。
【０１１７】
さらに、特に必要がある場合には、上記他部品設置空間４０側の側壁面３０ｃ側を連結面として複数台（２台以上）シリーズに連結して冷凍能力をアップさせることも可能である。
【０１１８】
（実施の形態４）
図１５〜図２０は、本願発明の実施の形態４に係る空冷吸収式冷凍装置の構成を示している。
【０１１９】
該実施の形態の空冷吸収式冷凍装置の構成は、例えば図１５〜図１７に示すように、上記実施の形態１の空冷吸収式冷凍装置の構成と同様に空冷吸収器１７ａ，１７ｂを本体ハウジング１０の相対向する前後２面に相互に対向させて配置する一方、該空冷吸収器１７ａ，１７ｂの底部間に水平に空冷吸収器２９を配置し、さらに上方面側天板面１０ｄの構成を水平面構造とし、該水平面構造の天板面１０ｄ部分にファン回転軸を上記空冷吸収器２９に対して垂直方向に向けた状態で第１，第２のファン１５ａ，１５ｂを左右長手方向に一列に配置することによって、前後方向に可及的に幅の狭い扁平な空冷吸収器（図１８参照）を構成し、それらを単位ユニットとして、例えば図１９および図２０に示すように、直列又は並列に複数台組合せて設置できるようにしたことを特徴としている。
【０１２０】
図１５〜図１７中、先ず符号１０は、当該空冷吸収式冷凍装置の前後方向に幅が狭く、かつ上下および左右方向に長い扁平箱形形状の本体ハウジングである。該本体ハウジング１０は、例えば図に示すように、内側に無駄な空間をなくした全体として可及的にコンパクトな形状のものとなっており、その相互に対向する前後両縦壁面１１ａ，１１ｂには空冷吸収器用および空冷凝縮器用の上下に位置する第１，第２の空気吸込口２６ａ，２６ｂ、２６ａ，２６ｂがそれぞれ形成されている。そして、その上部側第１の空気吸込口２６ａ，２６ａの内側には、それぞれ空冷吸収器１７ａ，１７ｂが所定寸法上方側にオフセットされた状態で上下方向垂直に延びて設けられ、さらに該空冷吸収器１７ａ，１７ｂの各底部（下端）間には水平方向に延びて空冷凝縮器２９が図示のように相互に直交する状態で設けられている。
【０１２１】
また、水平面状態の上記天板面１０ｄ部分には左右両側方向に第１，第２の合計２組の円形の空気吹出口１４ａ，１４ｂがそれぞれ左右両方向に所定の間隔を置いて形成され、それら各空気吹出口１４ａ，１４ｂの内側（ファンガイド内）に位置して左右両側方向に第１，第２の左右２組のファン（プロペラファン）１５ａ，１５ｂが、それぞれそのファン回転軸を上記空冷吸収器２９に対して上下垂直方向に向けた状態で下方から上方に吹出し回転可能に設置されている。そして、それら前後両側空気吹出口１４ａ，１４ｂおよび第１，第２のファン１５ａ，１５ｂから一端側に離間した送風通路を避けた上方空間内に、低温再生器４３が設けられている。
【０１２２】
ところで、上記空冷吸収器１７ａ，１７ｂおよびそれらの底部間にあって直交方向に配置された横方向に長い空冷凝縮器２９は、上述のように所定寸法上方側にオフセットされて、それぞれその下方側に上記下方側第２の空気吸込口２６ｂ，２６ｂから空冷凝縮器２９に到る送風通路および高温再生器２１のガスバーナ２１ａ等メンテナンス必要部品に対するメンテナンススペースＭＳを形成している。また同時に、それによって上記前後両縦壁面１０ａ，１０ｂの一端側（図１５で右側）所定幅の非開口面２８ａ，２８ｂ間に位置して形成される空気の流れない他部品設置空間４０の底部側には、例えば高温再生器２１、フロンタンク４４、サブフロンタンク４２、低温溶液熱交換器４５、高温溶液熱交換器４６の他凝縮水供給用の冷媒ポンプ、溶液ポンプ等の設置スペースを残すようになっている。そして、上記低温再生器４３、利用側熱交換器２２、気液分離器２３等も、該空気の流れない他部品設置空間４０の上方に位置して設けられている。また該所定寸法上方にオフセットされた状態で上記空冷吸収器１７ａ，１７ｂの上部には、さらに上記水平面構造の天板面１０ｄとの間の内部空間を利用して蒸発器１８ａ，１８ｂ、抽気タンク４１等がそれぞれ左右両方向に延びて設置されている。
【０１２３】
したがって、以上のような構成では、上記天板１０ｄの長手方向左右両側の第１，第２のファン１５ａ，１５ｂが駆動されると、相互に対向する前後両縦壁面１１ａ，１１ｂの上記第１，第２の空気吸込口２６ａ，２６ｂから吸い込まれた空気が上記空冷吸収器１７ａ，１７ｂおよび空冷凝縮器２９を通って本体ハウジング１０内を前後両側と下方側とから中央部の空気吹出口方向上方に向けて延びる送風効率の高い送風通路を通り、上記第１，第２のファン１５ａ，１５ｂにより、上記第１，第２の空気吹出口１４ａ，１４ｂから外部上方に吹き出される。
【０１２４】
以上のように、本実施の形態の構成では、先ず本体ハウジングの４つの側方面の内の相互に対向する２面に空冷吸収器１７ａ，１７ｂを配置するとともに、それら空冷吸収器１７ａ，１７ｂの底部間に空冷凝縮器２９を水平状態に配置しているので、それらの空気吸込口を本体ハウジングの相互に対向する２面に共通に形成することができ、空気吸込面の数を低減することができる。そのため、従来例のように装置本体の方向の異なる複数面（少くとも３面方向）にそれぞれ空気吸込口を設けなければならない構成に比べて、装置本体の前後方向の寸法が可及的に小さい薄型のコンパクトな形状に形成することができるようになり、それ自体の占有面積が小さくなるとともに、２つの空気吸込面に対応した空気吸込スペースと上方側への空気吹出スペースとの比較的小さな設置スペースさえあれば設置できるようになる。
【０１２５】
また空気吸込面である空冷吸収器１７ａ，１７ｂおよび空冷凝縮器２９が配置された本体ハウジング前後両面の上下第１，第２の空気吸込口２６ａ，２６ｂ、２６ａ，２６ｂの内、下方側第２の空気吸込口２６ｂ，２６ｂ部分に空冷吸収器２９への送風通路と兼用されるメンテナンススペースＭＳが形成されるようになり、該メンテナンススペースＭＳの送風通路部を利用して前後両側から空冷吸収器２９に空気を供給できるとともに、その非送風通路部のスペースを利用して本体ハウジングの底部１０ｆ側に設けられている高温再生器２１のガスバーナ部２１ａその他のメンテナンス必要部品に対するメンテナンスを容易に行うことができるようになる。したがって、空冷吸収器１７ａ，１７ｂが設けられていない面はもちろん、それらが設けられている２つの面の何れ側の面にもメンテナンススペースの設定が可能となり、メンテナンススペースの設定が自由になる。その結果、例えば後述するように上記のものと同一構造の空冷吸収式冷凍装置を複数台連結一体化して冷凍能力の増大要求に対応しようとするような場合にも、場所を取ることなく、自由にメンテナンススペースを確保することができる。
【０１２６】
そのため、装置のコンパクト化、設置面積の縮小化を図ることができる。
【０１２７】
さらに、上記ファン１５ａ，１５ｂは、その回転軸を空冷吸収器２９に対して垂直にして水平な天板面１０ｄに設けられている。
【０１２８】
したがって、ファン回転軸を斜め上方に設ける場合に比べて、より本体ハウジング１０前後方向の幅をコンパクトにすることができる。
【０１２９】
また、以上の構成では、上記空気吸込口２６ａ，２６ｂから空気吹出口１４ａ，１４ｂに至る送風通路を避けた本体ハウジング１０の一側方側内部空間である他部品設置空間４０内上下方向に低温再生器４３、高温再生器２１その他の各種必要機器を上下方向に集合一体化してコンパクトに設置するようにしている。したがって、上記のような送風通路の送風効率を低下させることなく装置本体のコンパクト化と設置面積の縮小化の両目的を同時に達成することができる。
【０１３０】
したがって、以上の構成によると、次のような有益な効果を得ることができる。
【０１３１】
（１）  所望のメンテナンススペースを所望の面に形成することができる。したがって、メンテナンススペースの設定が容易になり、空気吸込スペースと共用化できるので、その分装置がコンパクトになるとともに占有面積を縮小できる。
【０１３２】
（２）  一部大気圧を超えたサイクルでの運転が可能となり、冷凍効率が向上する。
【０１３３】
その結果、さらに吸収器および凝縮器のコンパクト化が可能となり、その分コストも低減される。
【０１３４】
（３）  任意のレイアウト状態で複合化することができるので、設置場所の自由度が向上するとともに、ユーザー側の要求冷凍能力に応じた最小スペースでの設置並びに冷凍能力のアップが可能となる。
【０１３５】
（変形例）
以上の結果、この実施の形態４の構成の空冷吸収式冷凍装置では、例えば図１８のような前後幅の小さいコンパクトな単位冷凍装置ユニットを形成することができる。そして、該ユニットは、上記の構成から明らかなように、本体ハウジング１０の他部品設置空間４０側の側壁面１０ｅとその反対側の側壁面１０ｃには空気吸込口が不要となる。
【０１３６】
したがって、同一又は左右対称構造の何れかの空冷吸収式冷凍装置を、例えば２台用いて図１９に示すように、自由なレイアウトでシリーズに連結することも可能となり、冷凍能力の増大要求にも自由に対応することができるようになる。そして、そのようにした場合にも空気吸込面と同一面側に有効に空気吸込およびメンテナンススペースＳ5，Ｓ6を確保することができ、かつ相対的に設置面積を大きくしなくても済むようになる。
【０１３７】
また、このように複数台の装置を連結して冷凍能力を増大させる方法として、上述のような左右方向にシリーズに連結する方法以外に、例えば図２０に示すように、単に所定の間隔を置いて前後方向にパラレルに並設することも可能である。この方法の場合には、必要に応じて３台以上の並設も可能となる。そして、その場合にも、各空気吸込面側に自由にメンテナンススペースＳ5，Ｓ6を設定することができる。
【図面の簡単な説明】
【図１】本願発明の実施の形態１に係る空冷吸収式冷凍装置の一部切欠平面図である。
【図２】同装置の図１のＡ−Ａ線断面図である。
【図３】同装置の図１のＢ−Ｂ線断面図である。
【図４】同装置の第１の変形例の平面図である。
【図５】同装置の第２の変形例の平面図である。
【図６】本願発明の実施の形態２に係る空冷吸収式冷凍装置を構成する冷凍装置ユニットの斜視図である。
【図７】図６の冷凍装置ユニットを組合せて構成された、本願発明の実施の形態２に係る空冷吸収式冷凍装置の一部切欠平面図である。
【図８】同装置の図７のＣ−Ｃ線断面図である。
【図９】同装置の図７のＤ−Ｄ線断面図である。
【図１０】同装置の変形例の平面図である。
【図１１】本願発明の実施の形態３に係る空冷吸収式冷凍装置の一部切欠平面図である。
【図１２】同装置の図１１のＥ−Ｅ線断面図である。
【図１３】同装置の図１１のＦ−Ｆ線断面図である。
【図１４】同装置の変形例の平面図である。
【図１５】本願発明の実施の形態４に係る空冷吸収式冷凍装置の一部切欠平面図である。
【図１６】同装置の図１５のＧ−Ｇ線断面図である。
【図１７】同装置の図１のＨ−Ｈ線断面図である。
【図１８】同装置の概略図である。
【図１９】同装置の第１の変形例の平面図である。
【図２０】同装置の第２の変形例の平面図である。
【図２１】従来の空冷吸収式冷凍装置の装置本体の斜視図である。
【図２２】同装置の図２１のＩ−Ｉ線断面図である。
【図２３】同装置の図２１のＪ−Ｊ線断面図である。
【図２４】同装置の図２１のＫ−Ｋ線断面図である。
【符号の説明】
１０，２０，３０は本体ハウジング、１０ａ，２０ａ，３０ａは前面側壁面、１０ｂ，２０ｂ，３０ｂは後面側壁面、１０ｃ，２０ｃ３０ｃは側壁面、１０ｄ，２０ｄ，３０ｄは天板面、１０ｅ，２０ｅ，３０ｅは側壁面、１１ａ，１１ｂ，２６は空気吸込口、１４ａは第１の空気吹出口、１４ｂは第２の空気吹出口、１４ｃは第３の空気吹出口、１７ａ，１７ｂ，２７は空冷吸収器、１９ａ，１９ｂ，２９は空冷凝縮器、１５ａ，１５ｂ，１５ｃ，２５ａ，２５ｂはファン、ＭＳはメンテナンススペースである。
【図１】
0003674367.tif 000002
【図２】
0003674367.tif 000003
【図３】
0003674367.tif 000004
【図４】
0003674367.tif 000005
【図５】
0003674367.tif 000006
【図６】
0003674367.tif 000007
【図７】
0003674367.tif 000008
【図８】
0003674367.tif 000009
【図９】
0003674367.tif 000010
【図１０】
0003674367.tif 000011
【図１１】
0003674367.tif 000012
【図１２】
0003674367.tif 000013
【図１３】
0003674367.tif 000014
【図１４】
0003674367.tif 000015
【図１５】
0003674367.tif 000016
【図１６】
0003674367.tif 000017
【図１７】
0003674367.tif 000018
【図１８】
0003674367.tif 000019
【図１９】
0003674367.tif 000020
【図２０】
0003674367.tif 000021
【図２１】
0003674367.tif 000022
【図２２】
0003674367.tif 000023
【図２３】
0003674367.tif 000024
【図２４】
0003674367.tif 000025